(57)【要約】【目的】  電解槽に印加する電流値を小さくしながら、排水する処理水中の次亜塩素酸濃度を適性に維持可能として処理水の排水経路における尿石の析出を防止し、尿石の析出による悪臭の発生を防止するとともに、処理水の脱色効果を向上せしめた排水浄化装置を提供すること。【構成】  し尿を含んだ排水を生物学的に処理してアンモニアを窒素ガスに変換する生物処理槽２（または、アンモニアを硝酸に変換する生物処理槽）と、この生物処理槽によって処理された処理水を貯留する貯留槽３と、貯留槽３からの処理水を電気分解して次亜塩素酸を発生させる電解槽４と、貯留槽３と電解槽４との間に貯留水を循環させる電解処理水回路５とを設ける。なお、し尿を排出する便器１へ貯留槽３内の処理水を再循環させるようにすることもできる。【選択図】        図１
2005169320.tif 000002
【特許請求の範囲】
【請求項１】
し尿を含んだ排水を生物学的に処理する生物処理槽と、生物処理槽によって処理された処理水を貯留する貯留槽と、貯留槽からの処理水を電気分解して次亜塩素酸を発生させる電解槽と、貯留槽と電解槽との間に貯留水を循環させる電解処理水回路とを備えていることを特徴とする排水浄化装置。
【請求項２】
便器からのし尿を含んだ排水を生物学的に処理する生物処理槽と、生物処理槽によって処理された処理水を貯留する貯留槽と、貯留槽からの処理水を電気分解して次亜塩素酸を発生させる電解槽と、貯留槽と電解槽との間に貯留水を循環させる電解処理水回路と、貯留槽内の処理水を便器に循環させる循環回路とを備えていることを特徴とするし尿を含む排水を循環再利用する排水浄化装置。
【請求項３】
前記生物処理槽は、し尿を含んだ排水を生物学的に処理してアンモニアを硝酸または窒素ガスに変換するように構成されていることを特徴とする請求項１または２記載の排水浄化装置。
【請求項４】
請求項１〜３の何れか１項記載の排水浄化装置において、電解処理水回路における電解槽の入口側に浮遊物を除去する除去フィルターが設けられていることを特徴とする排水浄化装置。
【請求項５】
前記電解槽は、電極板を電解槽内における処理水の流れと平行に配置したものであることを特徴とする請求項１〜４の何れか１項記載の排水浄化装置。
【請求項６】
前記電解槽は、貯留槽内に配置されていることを特徴とする請求項１〜５の何れか１項記載の排水浄化装置。
【請求項７】
前記電解槽は、貯留槽外において着脱自在に配置されていることを特徴とする請求項１〜５の何れか１項記載の排水浄化装置。
【請求項８】
請求項１〜７の何れか１項記載の排水浄化装置において、処理水の残留塩素濃度を検知する残留塩素検知装置を設け、この残留塩素検知装置により検出される残留塩素濃度が略一定となるように電解槽の電解能力を制御することを特徴とする排水浄化装置。
【発明の詳細な説明】
【技術分野】
【０００１】
本発明は、し尿を含む処理水に次亜塩素酸を発生させて、処理水を脱色脱臭する排水浄化装置に関する。
【背景技術】
【０００２】
一般的に、し尿を含む処理水の排水回路においては尿石が発生し易い。そして、し尿を含む処理水の排水回路に尿石が付着すると、配管が閉塞されるおそれがある。また、尿石が付着した排水回路では尿石を温床として微生物が繁殖し、その分解物がしばしば悪臭の原因をなしている。
【０００３】
尿石はし尿中の尿素が微生物によりアンモニアに変換され、それによってし尿中のｐＨが上昇して、し尿中のカルシウムイオンがリン酸カルシウム、炭酸カルシウムなどとして沈殿したものと考えられている。つまり、その生成にはｐＨ環境、存在する微生物などが関連しているものと思われる。
【０００４】
そこで、尿石の析出を防止するために例えば塩素を生成するような殺菌剤を投入することが考えられる。しかしながら、その継続的投入及びその量の制御など、簡便さに欠けるなどの課題がある。
【０００５】
また、し尿を処理した後、その処理水を電気分解して処理水の排水経路における尿石の析出及びその析出に伴う悪臭を効果的に抑制し得ることが提案されている（特許文献１参照）。
【０００６】
また、一般に排水を再利用する場合、いわゆる中水においては用途別に水質基準が設けられており、色度もその一項目とされていることが多い。ここで色度とは、水の色の程度を数値で示すもので、精製水１リットル中に色度標準液中の白金１ｍｇ及びコバルト０．５ｍｇを含むときの色相を色度１度とするものである。例えば、ある基準に従えば散水用水では色度は５０以下、修景用水では１０以下、洗車用水では３０以下とされるのが好ましいとされている。ところで、この色度は、処理水内に発生する次亜塩素酸によって発色団の分解がなされるために色度を有効に低下させることができると考えられている。
【特許文献１】特開平８−２９４６９１号公報
【発明の開示】
【発明が解決しようとする課題】
【０００７】
ところが、上記特許文献１の装置では、便器を洗浄した処理水が微生物学的分解手段（生物処理槽）により分解され、微生物学的分解手段により分解された処理水を電気分解手段で電気分解し処理水中に次亜塩素酸を発生させて、そのまま便器上方の貯水槽（貯水タンク）に戻されている。
したがって、上記特許文献１の装置では、便器上方の貯水槽から水が便器に流されたときのみ、つまり、流された水が微生物学的分解手段を通過して電解槽に流されたときのみ処理水中の塩素イオンが次亜塩素酸に変換されるように形成されていた。
【０００８】
このため、従来の装置では、電解槽を通過した後の処理水を再利用するためには、電解槽における電極への印加電流を増大しなければ、循環させる処理水中の次亜塩素酸の必要濃度を確保できないという問題があり、結果的には、次亜塩素酸の生成量が少なく尿石の析出防止、尿石の析出による悪臭の防止、及び次亜塩素酸による処理水の脱色作用が十分でないという問題があった。
【０００９】
本発明は、従来技術におけるこのような問題点を解決するためになされたものであって、電解槽に印加する電流値を小さくしながら、排水する処理水中の次亜塩素酸濃度を適性値に維持可能として処理水の排水経路における尿石の析出を防止し、尿石の析出による悪臭の発生を防止するとともに、処理水の脱色効果を向上せしめた排水浄化装置を提供することを目的としている。
【課題を解決するための手段】
【００１０】
上記課題を解決する第１の発明に係る排水浄化装置は、し尿を含んだ排水を生物学的に処理する生物処理槽と、生物処理槽によって処理された処理水を貯留する貯留槽と、貯留槽からの処理水を電気分解して次亜塩素酸を発生させる電解槽と、貯留槽と電解槽との間に貯留水を循環させる電解処理水回路とを備えていることを特徴とする。
【００１１】
また、上記課題を解決する第２の発明に係る排水浄化装置は、し尿を含む排水を循環再利用する排水浄化装置であって、便器からのし尿を含んだ排水を生物学的に処理する生物処理槽と、生物処理槽によって処理された処理水を貯留する貯留槽と、貯留槽からの処理水を電気分解して次亜塩素酸を発生させる電解槽と、貯留槽と電解槽との間に貯留水を循環させる電解処理水回路と、貯留槽内の処理水を便器に循環させる循環回路とを備えていることを特徴とする。
【００１２】
また、第１の発明及び第２の発明において、前記生物処理槽は、し尿を含んだ排水を生物学的に処理してアンモニアを硝酸または窒素ガスに変化するように構成されているものとすることができる。
【００１３】
また、第１の発明及び第２の発明において、前記電解処理水回路は、電解槽の入口側に浮遊物を除去する除去フィルターが設けられているものとするのが好ましい。
【００１４】
また、第１の発明及び第２の発明において、前記電解槽は、電極板を電解槽内における処理水の流れと平行に配置したものとしてもよい。
【００１５】
また、第１の発明及び第２の発明において、前記電解槽を貯留槽内に配置してもよい。
【００１６】
また、第１の発明及び第２の発明において、前記電解槽を貯留槽外において着脱自在に配置してもよい。
【００１７】
また、上記各排水浄化装置において、電解処理水回路又は貯留槽の処理水の残留塩素濃度を検知する残留塩素検知装置を設け、この残留塩素検知装置により検出される残留塩素濃度が略一定となるように電解槽の電解能力を制御するようにしてもよい。
この場合における電解槽の電解能力の制御は、検知された残留塩素濃度により電解能力を増減するものは勿論のこと、残留塩素濃度が所定値まで上昇したときに電解槽の運転を停止するように電解槽を発停制御するものをも含む概念とする。
【発明の効果】
【００１８】
本発明の第１の発明によれば、便器から排出される処理水は、生物処理槽によって、尿石発生の要因となるアンモニアの発生が抑制される。このアンモニアは、し尿中の尿素から分解誘導されると考えられているが、この尿素はまず好気性雰囲気下でウレアーゼ産生菌の作用によりアンモニアまで分解され、さらに好気性雰囲気下で硝化菌により硝酸まで酸化される。また、生物処理槽がアンモニアを窒素ガスまで変換するように構成されている場合は、続いて嫌気性雰囲気下においてこの硝酸が脱窒菌によって窒素ガスまで還元される。このように、生物処理槽において尿石析出の原因となるアンモニアが生物学的処理により硝酸又は窒素ガスまで分解して排出されるので、アンモニア、アミンなどの蓄積によるｐＨの上昇が抑制され、尿石の析出が有効に抑制される。
【００１９】
また、生物処理槽を経て、貯留槽に貯留された貯留水中には、し尿中の塩素イオンが存在する。この塩素イオンは電解槽に循環され、電解槽のアノード側で次亜塩素酸に変化される。したがって、貯留槽内の処理水に次亜塩素酸が発生して増加する。このため、し尿中の微生物が殺菌され、し尿中の尿素が微生物によりアンモニアに変換する作用を阻害する。また、これにより、し尿中のカルシウムがリン酸カルシウムや炭酸カルシウムなどとして沈殿する所謂尿石の生成を抑制することができる。この結果、貯留槽以降の処理水の排水回路における尿石の析出及びその析出に伴う悪臭の発生を抑制することができる。また、処理水中の発色団が次亜塩素酸により分解されるため、色度を低下させることができ、処理水が脱色される。
【００２０】
このように第１の発明によれば、電解槽で生成された次亜塩素酸により貯留槽に貯留された処理水中の微生物が殺菌される。また、次亜塩素酸により処理水中の発色団が分解されるため、処理水が脱色、脱臭される。したがって、第１の発明に係る排水浄化装置により処理された処理水は、尿石を発生しない脱臭脱色された処理水としてトイレ洗浄水などとして再利用することが可能となる。
【００２１】
また、本発明の第２の発明によれば、第１の発明と同様の装置により、貯留槽内の処理水中に次亜塩素酸を生成し、尿石析出の原因になる微生物を殺菌するとともに、発色団を分解し、この水を便器に戻すように循環させる装置であるため、脱色された処理水により便器内における尿石の析出を防止し、悪臭の発生を防止することができる。
また、既設のトイレでは便器の後に生物処理槽が設けられているので、この生物処理槽の後流側に貯留槽と電解槽とを配置することにより、既設のトイレを本発明のように容易に改造することができる。また、次亜塩素酸による酸化分解により生物処理槽からの排水の有機物を分解することが可能となり、循環回路により生物処理槽へ入るＣＯＤを低減できるので生物処理槽内での分解負荷を低減することができる。
また、本発明の第２発明によれば、処理水の循環経路内に次亜塩素酸の生成に必要な塩化ナトリウム製剤等の電解質を投入する必要がなく、維持管理費用が安くなる。また、塩化ナトリウム製剤の貯留槽や混合のための攪拌機等が不要であるので、商品システム全体の価格を安価に提供可能である。
【００２２】
また、第１の発明及び第２の発明において、前記電解処理水回路における電解槽の入口側に浮遊物を除去する除去フィルターが設けると、処理水中の微少な汚泥粒子、浮遊固形物などが取り除かれるので、電解槽の電極表面に付着する汚泥粒子などが取り除かれる。したがって、汚泥粒子などが電気分解効率の低下させるおそれがなくなり、さらには、浮遊固形物による配管の詰りを防止することができる。
【００２３】
また、第１の発明及び第２の発明において、電解槽は、電極板を電解槽内における処理水の流れと平行に配置すると、電極表面を水の流れによりフレッシュ（表面洗浄）させる効果があり、電気分解の性能を低下させることがない。したがって、電極表面を洗浄する逆洗装置が不要になる。また、電極表面への有機物等の付着を低減することができ、電極の寿命の短縮化を抑制することを図ることができる。
【００２４】
また、第１の発明及び第２の発明において、電解槽を貯留槽内に配置すると、商品全体の小型化を図ることができる。また、電解処理水回路に必要な配管部材を低減し、商品システム全体のコストを軽減することができる。
【００２５】
また、第１の発明及び第２の発明において、電解槽を貯留槽外において着脱自在に配置すれば、電解槽のメンテナンス作業や交換時の作業時間を大幅に短縮することができる。また、貯留槽から発生する腐食性ガスから電解槽を保護することができる。
【００２６】
また、第１の発明及び第２の発明において、電解処理水回路又は貯留槽の処理水の残留塩素濃度を略一定となるように電解槽の処理能力を制御すると、貯留槽から排水される処理水の残留塩素濃度が濃くなりすぎて配水管等を腐食させるような弊害を回避することができる。
また、貯留槽内の処理水の残留塩素濃度を検出することにより、貯留槽内の処理水の交換時期（引き抜き時期を）を知ることが可能となる。また、貯留槽内に溜まったし尿の汚泥等の引き抜き時期を知ることも可能となり、装置システムを維持管理する上で重要なポイントになる。
【発明を実施するための最良の形態】
【００２７】
以下本発明の実施例について図面に基づいて説明する。
【実施例１】
【００２８】
図１は、本発明の実施例１に係る排水浄化装置の模式図である。
実施例１に係る排水浄化装置は、便器１、便器１の後流側に接続された生物処理槽２、生物処理槽２の後流側に配置された貯留槽３、貯留槽３からの処理水を電解する電解槽４、電解槽４と貯留槽３との間に貯留水を循環させる電解処理水回路５、貯留槽３内の処理水を便器１に循環させる循環回路６などから構成されている。
【００２９】
便器１は、貯水タンク１ａが後部に取り付けられている。貯水タンク１ａは、詳細を後述する貯留槽３から次亜塩素酸を含んだ処理水が補給され貯水されるように構成されている。また、便器１は、使用後貯水タンク１ａの処理水により洗浄される。便器１は、この洗浄によりし尿中の微生物の殺菌が行われる。
このようにして、次亜塩素酸を含む処理水によりし尿中の微生物の殺菌が行われることにより、尿石の析出が抑制される。また、例え尿石が析出してもそこでの微生物の繁殖が抑制されるため、悪臭などの発生が有効に防止される。
【００３０】
生物処理槽２は、し尿を含んだ排水を生物学的に処理して、アンモニアを窒素ガスまで分解するものであって、仕切り壁２ａ、２ｂ、２ｃにより第１嫌気槽２１、第２嫌気槽２２、好気槽２３及び処理水槽２４に分離されている。
第１嫌気槽２１は、便器１を洗浄した処理水が流入する槽である。この第１嫌気槽２１では、便器１からの処理水に含まれる難分解性の夾雑物を沈殿分離し、第１嫌気槽２１の濾床に付着した嫌気性微生物により有機物を嫌気分解する。第１嫌気槽２１で嫌気分解された処理水は、仕切り壁２ａの上部に穿設された連絡口２ｄを介して第２嫌気槽２２に移送される。
【００３１】
第２嫌気槽２２では、槽内に設けられている嫌気濾床により処理水中の浮遊物質を捕捉し、嫌気性微生物により有機物を嫌気分解する。第２嫌気槽２２の処理水は、上部連絡口２ｅから好気槽２３に移送される。
【００３２】
好気槽２３では下方の散気管２６から好気濾材２７に向けて空気を供給し、好気濾材２７に生息する好気性微生物により処理水を好気分解する。これにより、硝酸菌や亜硝酸菌の働きによりアンモニア性窒素を亜硝酸性窒素に分解し、さらにこの亜硝酸性窒素が硝酸性窒素に分解される。好気槽２３でこのように処理された硝酸性窒素を含有する処理水は処理水槽２４に移送される。
【００３３】
処理水槽２４では、好気分解された処理水を沈殿物と上澄み液とに分離される。なお、処理水槽２４に堆積した沈殿物は好気槽２３に戻される。また、処理水槽２４の上澄み水は連絡配管２８により第１嫌気槽２１に戻されて再循環されるとともに、貯留槽３にも供給される。なお、処理水槽２４の処理水が第１嫌気槽２１に戻されることにより、第１嫌気槽２１において硝酸性窒素が脱窒菌により窒素ガスまで還元される。
【００３４】
なお、排水基準が硝酸性窒素の排出を許可する場合には、上記生物処理槽２に代えて、し尿を含んだ排水を生物学的に処理してアンモニアを硝酸まで変換する生物処理槽（以下簡易型生物処理槽という）を使用することができる。この簡易型生物処理槽は、例えば、上記生物処理槽２における連絡配管２８を省略したものとして構成される。したがって、簡易型生物処理槽を使用する場合には、好気槽２３で処理された硝酸性窒素を含有する処理水が処理水槽２４に移送された後、硝酸性窒素がそのまま排水中に含まれて排出される。
【００３５】
このように、生物処理槽２では尿石析出の原因となるアンモニアを窒素ガスまで分解するので（これに代わる簡易型生物処理槽では、アンモニアを硝酸まで分解するので）、アンモニア、アミンなどの蓄積によるｐＨの上昇が抑制され、尿石の析出が有効に抑制される。
【００３６】
貯留槽３は、前述の処理水槽２４からの上澄み液を貯留する。また、貯留槽３と便器１の貯水タンク１ａとの間には、貯留槽３の処理水を便器１の貯水タンク１ａに循環させるための循環回路６が形成されている。この循環回路６には循環ポンプ６１が接続されている。循環ポンプ６１は循環回路６の貯留槽３側に設けられている。
また、貯留槽３の外部には貯留槽３内の処理水を電気分解して次亜塩素酸を発生させるための電解槽４が設けられている。この電解槽４と貯留槽３との間には処理水を電解槽４に循環させるための電解処理水回路５が設けられている。
【００３７】
電解槽４は、導電性材料からなる電極を使用したもので、アノード及びカソード何れも同一材料により形成されており、定期的に電極のアノード及びカソードを反転制御される。これにより電極の寿命を延長するように考慮されている。上記電極は、より具体的には、平板状の貴金属系電極、例えば白金電極板４ａが用いられている。また、電極板４ａは電解槽４内における処理水の流れと平行になるように配置されている。なお、電解槽４の電解処理能力は電極に印加する電流を制御盤４１により制御することで調節可能に構成されている。
【００３８】
電解処理水回路５には、貯留槽３から電解槽４に処理水を供給する回路の貯留槽３側に循環ポンプ５１が設けられている。また、電解槽４の入口側に浮遊物等を除去するための除去フィルター５２が設けられている。また、電解槽４はこの電解処理水回路５に対し着脱自在に取り付けられている。
なお、図１から分かるように、この実施例においては生物処理槽２及び貯留槽３の蓋部が地表面ＧＬに位置するように地中に埋め込まれている。
【００３９】
以上のように構成された実施例１の排水処理装置は、次のように動作する。
便器１が使用されると、貯水タンク１ａに貯留されている処理水が便器１内に流される。この処理水は、貯留槽３から補給される次亜塩素酸を含んだ処理水である。便器１内はこの次亜塩素酸を含む処理水により洗浄される。し尿中には尿素をアンモニアに変換するように働く微生物が含まれているが、この洗浄によりこの微生物が殺菌される。このようにしてし尿中の微生物が殺菌されると、アンモニアの生成が阻害され、その結果尿石の析出が抑制される。また、微生物の殺菌が行われるので、例え尿石が析出してもそこでの微生物の繁殖が抑制される結果、悪臭などの発生が有効に防止される。なお、洗浄に使用された処理水中の次亜塩素酸は洗浄殺菌作用により略消費される。
【００４０】
便器１からし尿とともに洗浄に供された処理水が生物処理槽２に流入する。生物処理槽２における第１嫌気槽２１では難分解性の夾雑物を沈殿分離され、第１嫌気槽２１及び第２嫌気槽２２では有機性窒素がアンモニア性窒素に分解される。また、好気槽２３でアンモニア性窒素が硝酸菌や亜硝酸菌の働きによりアンモニア性窒素を亜硝酸性窒素に分解され、さらにこの亜硝酸性窒素が硝酸性窒素に分解される。そして、図１の生物処理槽２の場合は処理水槽２４で上澄み液が第１嫌気槽２１に戻されて硝酸性窒素は脱窒菌により窒素ガスまで還元される。なお、簡易型生物処理槽を使用する場合は処理水槽２４で上澄み液は第１嫌気槽２１に戻されない。このようにして生物処理槽２又は簡易型生物処理槽では、尿石析出の原因となるアンモニアを窒素ガス又は硝酸まで分解される。これにより、アンモニア、アミンなどの蓄積によるｐＨの上昇が抑制され、尿石の析出が有効に抑制される。
【００４１】
また、生物処理槽２（又は簡易型生物処理槽）で生物処理された処理水は、貯留槽３に貯留される。また、貯留槽３に貯留された処理水は、電解処理水回路５により電解槽４との間で循環され、電解槽４で処理水中に次亜塩素酸を発生するように電解処理される。したがって、電解槽４に印加する電流を従来のようには大きくしなくても、貯留槽３内の残留塩素濃度を高くすることができる。また、この次亜塩素酸により貯留槽３内の処理水中の発色団が分解され処理水の脱色が行われる。なお、この変換により次亜塩素酸は塩素イオンに変換されるが、貯留槽３内に生成された塩素イオンは、電解槽４に送られ再び次亜塩素酸に変換される。
貯留槽３内の次亜塩素酸を含んだ処理水は、便器１の使用により貯水タンク１ａ内の処理水が使用されて減少したときに、この減少分を補充するように貯水タンク１ａに送られる。
【００４２】
本実施例における排水処理装置では、以上のように運転されるので、次のような効果を奏することができる。
生物処理槽２により尿石析出の要因となるアンモニアを除去することができる。また、電解槽４の印加電流を増大することなく、処理水中に十分な次亜塩素酸を発生させることができる。また、この次亜塩素酸により貯留槽３の貯留された処理水中の微生物が殺菌され、さらに、貯留槽３において処理水中の発色団が分解される。したがって、貯留槽３に貯留されている処理水は、脱色脱臭され、かつ次亜塩素酸を含んでいるので、尿石の発生を抑制する処理水としてトイレの洗浄水などとして有効に再利用することが可能である。
【００４３】
また、このような処理水をトイレの洗浄水として再利用する本実施例装置では、生物処理槽２の後流側に貯留槽３と電解槽４とを配置することにより、既設のトイレを本発明のように容易に改造することができる。また、この実施例のような処理水再生利用装置では、次亜塩素酸ナトリウムの生成に必要な塩化ナトリウム製剤等の電解質を投入する必要がなく、維持管理費用が安くなる。また、塩化ナトリウム製剤の貯留槽３や混合のための攪拌機等が不要であるので、商品システム全体の価格を安価に提供することが可能である。
【００４４】
また、この実施例における電解処理水回路５は、電解槽４の入口側に浮遊物を除去する除去フィルター５２が設けられているので、電解槽４の電極に汚泥粒子などが付着することによる電気分解効率の低下を防止することができ、さらには、浮遊固形物による配管の詰りを防止することができる。
【００４５】
また、電解槽４において電極板４ａが処理水の流れと平行に配置されているので、電極板４ａの表面を水の流れにより表面洗浄させる効果があり、電気分解の性能低下を抑制することができる。また、電極板４ａの表面を洗浄する逆洗装置を不要にすることができる。
【００４６】
また、この実施例１では、電解槽４が貯留槽３の外部において、電解処理水回路５に対し着脱自在に取り付けられているので、電解槽４のメンテナンス作業や交換時の作業時間を大幅に短縮することができる。また、貯留槽３から発生する腐食性ガスから電解槽４を保護することができる。
【実施例２】
【００４７】
次に実施例２について図２に基づき説明する。
実施例２は、図２に示すように、電解槽４、除去フィルター５２が貯留槽３内に収納するように構成したものであって、他の構成は実施例１と同一である。
この実施例２のように、電解槽４を貯留槽３内に配置すると、商品全体の小型化を図ることができる。また、電解処理水回路５に必要な配管部材を低減し、商品システム全体のコストを軽減することができる。
【実施例３】
【００４８】
次に実施例３について図３に基づき説明する。
実施例３は、貯留槽３内に処理水の残留塩素濃度を検出する残留塩素検知装置４５を設けたものである。なお、この残留塩素検知装置４５を設ける代わりに電解処理水回路５中における電解槽４の後流側に処理水の残留塩素濃度を検出する残留塩素検知装置４６を設けることも可能である。
また、実施例３は、このように貯留槽３又は電解処理水回路５の処理水の残留塩素濃度を略一定となるように電解槽４の処理能力を制御するので、貯留槽３から排水される処理水の残留塩素濃度が濃くなりすぎて配水管等を腐食させるような弊害を回避することができる。なお、電解処理能力の制御としては、電極板４ａに印加する電流を増減するようにしても良いが、測定した残留塩素濃度が所定値になったときに電解槽４の運転を停止するように制御してもよい。
また、このように貯留槽３内の処理水の残留塩素濃度を検出することにより、貯留槽３内の処理水の交換時期（引き抜き時期を）を知ることが可能となる。また、貯留槽３内に溜まったし尿の汚泥等の引き抜き時期を知ることも可能となり、装置システムを維持管理する上で重要なポイントにすることができる。
【図面の簡単な説明】
【００４９】
【図１】本発明の実施例１に係る排水処理装置のシステム構成図である。
【図２】本発明の実施例２に係る排水処理装置のシステム構成図である。
【図３】本発明の実施例３に係る排水処理装置のシステム構成図である。
【符号の説明】
【００５０】
１  便器
２  生物処理槽
３  貯留槽
４  電解槽
４ａ  電極板
５  電解処理水回路
６  循環回路
４５  残留塩素検知装置
４６  残留塩素検知装置
５２  除去フィルター
【図１】
2005169320.tif 000003
【図２】
2005169320.tif 000004
【図３】
2005169320.tif 000005